(57)【特許請求の範囲】
【請求項１】
宅内に設置された１乃至複数の機器をそれぞれ制御並びに監視する複数のコントローラと、ネットワークを通じて各コントローラにアクセスし前記機器の制御要求並びに監視要求を与える通信端末とで構成され、通信端末からネットワーク経由で与えられる制御要求並びに監視要求に応じて各コントローラが宅内の機器を制御及び監視する遠隔監視制御システムにおいて、
複数のコントローラは１台の親局と該親局以外の子局とに振り分けられ、
全てのコントローラは、ネットワーク経由で通信端末とデータ通信を行うデータ通信手段と、１乃至複数の機器に対して制御用の信号を送信するとともに当該機器の状態を示す監視用の信号を各機器から受信する機器インタフェース手段と、前記制御要求を受け取ったときに前記制御用信号を生成して機器インタフェース手段より対象の機器へ制御用信号を送信させるとともに前記監視要求を受け取ったときに前記監視用信号を生成して機器インタフェース手段より対象の機器へ監視用信号を送信させて当該機器の状態を取得する制御手段と、前記機器インタフェース手段に接続されている全ての機器に関する情報を開示するウェブページを作成してデータ通信手段よりネットワーク経由で通信端末に提供する機器情報提供手段とを備え、
親局のコントローラにおける前記機器情報提供手段は、自己の機器インタフェース手段に接続されている機器に関する情報と、各子局のコントローラの機器インタフェース手段に接続されている機器に関する情報とを一括して表示する前記ウェブページを作成することを特徴とする遠隔監視制御システム。
【請求項２】
前記１乃至複数の機器の状態が変更されると、当該機器から変更後の状態が前記子局のコントローラに送信され、前記子局のコントローラから前記親局のコントローラに当該状態が送信され、前記親局のコントローラの機器情報提供手段は、受け取った状態に基づいて前記ウェブページの当該機器の状態を書き換えることを特徴とする請求項１記載の遠隔監視制御システム。
【請求項３】
親局のコントローラにおける前記機器情報提供手段は、一括表示用の前記ウェブページの他に、各機器に関する情報をグループ化あるいは階層化して表示するウェブページを作成し、通信端末からの要求に応じて前記複数種類のウェブページを適宜選択して提供することを特徴とする請求項１又は２記載の遠隔監視制御システム。
【請求項４】
全てのコントローラは、複数の親局が存在する場合又は親局が存在しない場合に異常を報知する報知手段を備えたことを特徴とする請求項１〜３の何れかに記載の遠隔監視制御システム。
【請求項５】
全てのコントローラは、起動時にネットワーク経由で他のコントローラを探索し、他のコントローラが見つからなければ自らを親局に設定し、他のコントローラが見つかれば自らを子局に設定する親局／子局振り分け手段を備えたことを特徴とする請求項１〜４の何れかに記載の遠隔監視制御システム。
【請求項６】
全てのコントローラは、それぞれに固有の優先順位を記憶した記憶手段と、起動時にネットワーク経由で他のコントローラを検出するとともに検出した他のコントローラの優先順位が前記記憶手段に記憶した自己の優先順位よりも下位であれば自らを親局に設定し、他のコントローラの優先順位が自己の優先順位よりも上位であれば自らを子局に設定する親局／子局振り分け手段を備えたことを特徴とする請求項１〜４の何れかに記載の遠隔監視制御システム。
【請求項７】
前記親局／子局振り分け手段は、定期的に親局のコントローラの存否を確認し、親局のコントローラの存在が確認できない場合に他のコントローラを再度検出するとともに検出した他のコントローラの優先順位が前記記憶手段に記憶した自己の優先順位よりも下位であれば自らを親局に設定し、他のコントローラの優先順位が自己の優先順位よりも上位であれば自らを子局に設定することを特徴とする請求項６記載の遠隔監視制御システム。
【請求項８】
前記親局／子局振り分け手段は、通信手段よりブロードキャストパケットを配信して他のコントローラを探索又は検出することを特徴とする請求項５〜７の何れかに記載の遠隔監視制御システム。
【発明の詳細な説明】
【技術分野】
【０００１】
本発明は、宅内に設置された１乃至複数の機器をそれぞれ制御並びに監視する複数のコントローラと、ネットワークを通じて各コントローラにアクセスし前記機器の制御要求並びに監視要求を与える通信端末とで構成され、通信端末からネットワーク経由で与えられる制御要求並びに監視要求に応じて各コントローラが宅内の機器を制御及び監視する遠隔監視制御システムに関するものである。
【背景技術】
【０００２】
従来、宅内に設置された１乃至複数の機器を制御並びに監視するコントローラと、ネットワークを通じてコントローラにアクセスし前記機器の制御要求並びに監視要求を与える通信端末とで構成され、通信端末からネットワーク経由で与えられる制御要求並びに監視要求に応じてコントローラが宅内の機器を制御及び監視するようにした遠隔監視制御システムが提供されている（例えば、特許文献１参照）。
【０００３】
また、上述のような遠隔監視制御システムのなかには、機器に関する情報（動作状態や設定状態）を開示するウェブページをコントローラで作成し、ネットワーク経由で送信されたウェブページを利用者の携帯電話機やパーソナルコンピュータの画面に表示するようにしたものもある。
【特許文献１】特開２００３−１８１７５号公報
【発明の開示】
【発明が解決しようとする課題】
【０００４】
ところで、宅内に設置されるコントローラが複数有る場合、利用者が目的の機器を制御及び監視するコントローラが複数のコントローラの何れであるかを把握していなければ、当該機器の情報を開示するウェブページを閲覧するのに非常に手間がかかってしまうという問題がある。
【０００５】
本発明は上記事情に鑑みて為されたものであり、その目的は、機器の情報を開示するウェブページが通信端末で容易に閲覧可能である遠隔監視制御システムを提供することにある。
【課題を解決するための手段】
【０００６】
請求項１の発明は、上記目的を達成するために、宅内に設置された１乃至複数の機器をそれぞれ制御並びに監視する複数のコントローラと、ネットワークを通じて各コントローラにアクセスし前記機器の制御要求並びに監視要求を与える通信端末とで構成され、通信端末からネットワーク経由で与えられる制御要求並びに監視要求に応じて各コントローラが宅内の機器を制御及び監視する遠隔監視制御システムにおいて、複数のコントローラは１台の親局と該親局以外の子局とに振り分けられ、全てのコントローラは、ネットワーク経由で通信端末とデータ通信を行うデータ通信手段と、１乃至複数の機器に対して制御用の信号を送信するとともに当該機器の状態を示す監視用の信号を各機器から受信する機器インタフェース手段と、前記制御要求を受け取ったときに前記制御用信号を生成して機器インタフェース手段より対象の機器へ制御用信号を送信させるとともに前記監視要求を受け取ったときに前記監視用信号を生成して機器インタフェース手段より対象の機器へ監視用信号を送信させて当該機器の状態を取得する制御手段と、前記機器インタフェース手段に接続されている全ての機器に関する情報を開示するウェブページを作成してデータ通信手段よりネットワーク経由で通信端末に提供する機器情報提供手段とを備え、親局のコントローラにおける前記機器情報提供手段は、自己の機器インタフェース手段に接続されている機器に関する情報と、各子局のコントローラの機器インタフェース手段に接続されている機器に関する情報とを一括して表示する前記ウェブページを作成することを特徴とする。
【０００７】
請求項２の発明は、請求項１の発明において、前記１乃至複数の機器の状態が変更されると、当該機器から変更後の状態が前記子局のコントローラに送信され、前記子局のコントローラから前記親局のコントローラに当該状態が送信され、前記親局のコントローラの機器情報提供手段は、受け取った状態に基づいて前記ウェブページの当該機器の状態を書き換えることを特徴とする。
請求項３の発明は、請求項１又は２の発明において、親局のコントローラにおける前記機器情報提供手段は、一括表示用の前記ウェブページの他に、各機器に関する情報をグループ化あるいは階層化して表示するウェブページを作成し、通信端末からの要求に応じて前記複数種類のウェブページを適宜選択して提供することを特徴とする。
【０００８】
請求項４の発明は、請求項１〜３の何れかの発明において、全てのコントローラは、複数の親局が存在する場合又は親局が存在しない場合に異常を報知する報知手段を備えたことを特徴とする。
【０００９】
請求項５の発明は、請求項１〜４の何れかの発明において、全てのコントローラは、起動時にネットワーク経由で他のコントローラを探索し、他のコントローラが見つからなければ自らを親局に設定し、他のコントローラが見つかれば自らを子局に設定する親局／子局振り分け手段を備えたことを特徴とする。
【００１０】
請求項６の発明は、請求項１〜４の何れかの発明において、全てのコントローラは、それぞれに固有の優先順位を記憶した記憶手段と、起動時にネットワーク経由で他のコントローラを検出するとともに検出した他のコントローラの優先順位が前記記憶手段に記憶した自己の優先順位よりも下位であれば自らを親局に設定し、他のコントローラの優先順位が自己の優先順位よりも上位であれば自らを子局に設定する親局／子局振り分け手段を備えたことを特徴とする。
【００１１】
請求項７の発明は、請求項６の発明において、前記親局／子局振り分け手段は、定期的に親局のコントローラの存否を確認し、親局のコントローラの存在が確認できない場合に他のコントローラを再度検出するとともに検出した他のコントローラの優先順位が前記記憶手段に記憶した自己の優先順位よりも下位であれば自らを親局に設定し、他のコントローラの優先順位が自己の優先順位よりも上位であれば自らを子局に設定することを特徴とする。
【００１２】
請求項８の発明は、請求項５〜７の何れかの発明において、前記親局／子局振り分け手段は、通信手段よりブロードキャストパケットを配信して他のコントローラを探索又は検出することを特徴とする。
【発明の効果】
【００１３】
請求項１の発明によれば、親局のコントローラにおける前記機器情報提供手段が、自己の機器インタフェース手段に接続されている機器に関する情報と、各子局のコントローラの機器インタフェース手段に接続されている機器に関する情報とを一括して表示するウェブページを作成するので、各機器を制御及び監視するコントローラが複数のコントローラの何れであるかを利用者が把握する必要が無く、機器の情報を開示するウェブページが通信端末で容易に閲覧できる。
【００１４】
請求項２の発明によれば、親局のコントローラが変更後の情報に基づいてウェブページを書き換えるので、通信端末は制御要求を行った機器の状態が要求通りに変更されたことを確認できる。
請求項３の発明によれば、例えば、機器を設置場所（リビングや台所、あるいは１階と２階など）毎にグループ化あるいは階層化したウェブページを作成するので、利用者が目的の機器を容易に探し出すことができる。
【００１５】
請求項４の発明によれば、親局のコントローラが不在のままでシステムが運用されるのを防ぐことができる。
【００１６】
請求項５の発明によれば、新たに追加されたコントローラが自らを子局だと自動的に認識できて複数のコントローラの親子関係をくずすことがないから、依然として好適な運用を続けることができて施工作業が簡素化できる。
【００１７】
請求項６の発明によれば、コントローラの固有の優先順位が記憶手段に記憶されているので、複数のコントローラを新規に接続して起動させたときに、固有の優先順位に従って各コントローラが自らを親局なのか子局なのかを自動的に確実に認識できて施工作業が簡素化できる。
【００１８】
請求項７の発明によれば、親局のコントローラに障害が発生して機能しなくなれば、優先順位に従って他のコントローラが親局に振り分けられるので、親局の不在によるシステムダウンを回避することができる。
【００１９】
請求項８の発明によれば、コントローラを効率よく探索又は検出することができる。
【発明を実施するための最良の形態】
【００２０】
以下、図面を参照して本発明の実施形態を詳細に説明する。
【００２１】
本実施形態の遠隔監視制御システムは、図１に示すように宅内に設置された複数の機器２をそれぞれ制御並びに監視する複数（図示例では３台）のコントローラＣＴ１，ＣＴ２，ＣＴ３と、ネットワーク（ＬＡＮ＜ローカル・エリア・ネットワーク＞並びにインターネット）を通じて各コントローラＣＴｎ（ｎ＝１，２，３）にアクセスし宅内の機器２の制御要求並びに監視要求を与える通信端末５とで構成される。ここで、各コントローラＣＴｎ並びに宅内のモニタ画面付きの通信端末（例えば、パーソナルコンピュータ）５は、通信ケーブル（エンハンストカテゴリー５若しくはカテゴリー６のＬＡＮケーブル）７を介して構成管理サーバ３が具備する複数の通信ポート（図示せず）にそれぞれ個別に接続されている。この構成管理サーバ３は、宅内の機器２を制御及び監視するためのウェブページの入り口となるホームページＨＰ（図３（ａ）参照）を作成して通信端末５に提供する機能と、ＬＡＮ内並びにＬＡＮとインターネットとの間でパケットを転送する機能とを有するものである。なお、構成管理サーバ３は、インターネットに接続するための回線の種類（電話回線、ＣＡＴＶ回線、光ファイバ回線など）に応じてＡＤＳＬモデムやケーブルモデムあるいはＯＮＵ（Optical Network Unit）などのインターネット接続装置４と通信ケーブル７によって接続され、インターネット接続装置４が介在することで後述するセンタ装置６と各コントローラＣＴｎとがインターネットを介してデータ通信を行うことができる。但し、かかる構成管理サーバ３やインターネット接続装置４は従来周知の技術を用いて実現可能であるから、詳細な構成の図示並びに説明は省略する。
【００２２】
センタ装置６は、インターネットを介して通信端末５により宅内の機器２の制御並びに監視を行おうとする利用者が正規の利用者か否かを検証する機能、正規の利用者の通信端末５と構成管理サーバ３並びにコントローラＣＴｎとのデータ通信を仲介する機能を有し、例えば、インターネット接続機能を有する携帯電話機やノートパソコンなどの通信端末５からインターネットを介してセンタ装置６にアクセスし、センタ装置６を経由して宅内のコントローラＣＴｎに制御要求や監視要求を与える（リクエストする）とともに当該要求に対する応答（レスポンス）を受け取ることができる。但し、このような機能を有するセンタ装置６や通信端末５は従来周知であるから詳細についての図示並びに説明は省略する。
【００２３】
コントローラＣＴｎは、図２に示すようにマイコン１０と、通信ケーブル７を介して構成管理サーバ３が接続されるＬＡＮインタフェース部１１と、日本電機工業会（JEMA）の統一規格に適合した機器（エアコンや給湯器など）とマイコン１０のインタフェースを行うＨＡインタフェース部１２と、前記ＪＥＭＡ規格に適合したＨＡ（ホーム・オートメーション）端子（図示せず）を有する第１の端子部１３と、当該ＪＥＭＡ規格に適合しない機器２（照明器具）への給電経路に挿入されるリレー（図示せず）を有する第２の端子部１５と、マイコン１０の制御下で第２の端子部１５が有するリレーを駆動する照明器具インタフェース部１４と、後述するプログラムや機器２の動作状態などの制御情報及び監視情報を記憶するメモリ部１６と、発光ダイオード（図示せず）などの発光素子および警報音を発するブザーを有する周囲報知部１７とを備えている。また、図示は省略しているが、商用電源から所望の直流電源を作成してマイコン１０やその他の各部に動作電源を供給するための電源回路も備えている。
【００２４】
ＬＡＮインタフェース部１１は、例えばＩＥＥＥ  ８０２．３ｕとして標準化されている１００ＢＡＳＥ−ＴＸなどのファースト・イーサネット（登録商標）に準拠し、マイコン１０から受け取ったデータをイーサネット（登録商標）のパケットに変換して通信ケーブル７を介して送信するとともに通信ケーブル７を介して受信したイーサネット（登録商標）のパケットを元のデータに変換してマイコン１０に渡す機能を有している。またマイコン１０においては、メモリ部１６に記憶しているプログラムを実行することで種々の機能を実現しており、以下では説明を簡単にするため、前記種々の機能のうちで本発明に関わる機能を制御手段１８、機器情報提供手段１９、親局／子局振り分け手段２０と呼ぶことにする。
【００２５】
親局／子局振り分け手段２０は、複数（本実施形態では３台）のコントローラＣＴ１，ＣＴ２，ＣＴ３を１台の親局と２台の子局に振り分けるものであって、起動時にＬＡＮインタフェース部１１より宅内（ＬＡＮ）内にブロードキャストのパケットを送信させ、既に起動している他のコントローラＣＴｎからのレスポンスを受信しない場合は自らを親局に設定してメモリ部１６に登録し、既に起動している他のコントローラＣＴｎからのレスポンスを受信した場合は自らを子局に設定してメモリ部１６に登録する。あるいは、ＵＰｎＰ（ユニバーサル・プラグ・アンド・プレイ）のデバイス及びコントロールポイントの機能をマイコン１０に実装し、起動時に親局／子局振り分け手段２０がコントロールポイントの機能を用いてデバイスたる他のコントローラＣＴｎを検索（Ｍ−ＳＥＡＲＣＨ）し、他のコントローラＣＴｎが見つからなければ自己を親局に設定し、他のコントローラＣＴｎが見つかれば自己を子局に設定するようにしても構わない。ここで、各コントローラＣＴｎにおいては、それぞれが親局と子局の何れに設定されているかという情報を起動時のブロードキャストに対するレスポンスから親局／子局振り分け手段２０が取得してメモリ部１６に記憶している。また、親局となったコントローラＣＴｎでは、親局／子局振り分け手段２０が定期的に子局のコントローラＣＴｎにパケットを送信して生存確認を行い、子局のコントローラＣＴｎが追加や削除されていれば、その変更後の内容をメモリ部１６に記憶する。なお、メモリ部１６に記憶している親局が２台以上ある場合あるいは親局が１台も存在しない場合、親局／子局振り分け手段２０が周囲報知部１７の特定の発光素子を点灯あるいは短い周期で点滅するなどするほかにも警報音をブザーから出させるなどして異常を報知し、コントローラＣＴｎを再度起動して親局／子局振り分け手段２０が１台の親局と２台の子局に正しく振り分けるようにする。但し、上述のような異常を報知するにあたってコントローラＣＴｎが備える周囲報知部１７だけでなく、異常報知のためのウェブページをマイコン１０で作成して通信端末５に送信し、通信端末５が具備する表示デバイス（液晶ディスプレイなど）に当該ウェブページを表示させるようにしてもよい。
【００２６】
制御手段１８は、通信端末５から制御要求を受け取ったときにＨＡインタフェース部１２あるいは照明器具インタフェース部１４を介して各機器２を個別に制御して運転（照明器具の場合は点灯）と停止（照明器具の場合は消灯）を切り替え、通信端末５から監視要求を受け取ったときにＨＡインタフェース部１２あるいは照明器具インタフェース部１４を介して各機器２の動作状態（運転＜点灯＞又は停止＜消灯＞）を個別に取得するものである。
【００２７】
また機器情報提供手段１９は、基本的に制御手段１８で取得した機器２の動作状態を開示するウェブページを作成し、通信端末５からの要求に応じて当該ウェブページをＬＡＮインタフェース部１１より通信端末５に提供（送信）するものであるが、親局となったコントローラＣＴｎと子局となったコントローラＣＴｎでは多少動作が異なる。すなわち、親局となったコントローラ（例えば、ＣＴ１）の機器情報提供手段１９は、子局となったコントローラ（例えば、ＣＴ２，ＣＴ３）で制御並びに監視される全ての機器２に関する情報（動作状態）と、自らが制御並びに監視する全ての機器２に関する情報とを一括して表示するウェブページ（図３（ｂ）参照）を作成する。したがって、宅内の機器２を制御したりあるいは動作状態を監視する場合、通信端末５は最初に構成管理サーバ３にアクセスして構成管理サーバ３が提供するホームページＨＰ（図３（ａ）参照）を表示デバイスの画面に表示させ、利用者がホームページＨＰに記載されている「コントローラ」へのリンクをクリックすることで親局のコントローラＣＴ１の機器情報提供手段１９が作成したウェブページ（トップページと呼ぶ。）ＴＰが表示デバイスの画面に表示される（図３（ｂ）参照）。このトップページＴＰでは、宅内に設置されている制御及び監視対象の全ての機器２に関する情報、つまり、各機器２の名称（機器Ａ，機器Ｂ，機器Ｃ，機器Ｄ，機器Ｅ）とその動作状態（「運転」又は「停止」）が一括して表示されているので、従来のように構成管理サーバ３が提供するホームページに各コントローラＣＴ１，ＣＴ２，ＣＴ３へのリンクを表示し該リンクをクリックすることで各コントローラＣＴ１，ＣＴ２，ＣＴ３で作成されたトップページが表示される場合に比較して、各機器２を制御及び監視するコントローラＣＴｎが複数のコントローラＣＴｎの何れであるかを利用者が把握する必要が無く、機器２の情報を開示するウェブページ（トップページＴＰ）が通信端末５で容易に閲覧できるという利点がある。
【００２８】
また、親局のコントローラＣＴ１における機器情報提供手段１９が、一括表示用のウェブページ（トップページＴＰ）の他に、各機器２に関する情報をグループ化あるいは階層化して表示するウェブページを作成し、通信端末５からの要求に応じて複数種類のウェブページを適宜選択して提供することも可能である。例えば、図３（ｃ）に示すように機器２が設置されている場所（リビング、寝室、子供部屋）でグループ化したウェブページＷＰ１を作成し、各グループ（設置場所）のリンクをクリックすると当該グループ（例えば、リビング）に属する機器２の名称と動作状態を一括して表示するウェブページＷＰ２（図３（ｄ）参照）にリンクするように階層化したり、あるいは、図３（ｅ）に示すように機器２の設置場所（１階と２階）でグループ化するとともに当該グループを一括して表示するウェブページＷＰ３を作成しても構わない。
【００２９】
次に、図４を参照して通信端末５から宅内の機器２の制御並びに監視を行う場合の動作を説明する。
【００３０】
まず、通信端末５において、例えば、トップページＴＰに表示されている機器２（子局のコントローラＣＴ２に接続されている機器）の動作状態のリンクがクリックされると、通信端末５からセンタ装置６、インターネット接続装置４、構成管理サーバ３を介して親局のコントローラＣＴ１に通信端末５から制御要求が送信される（Ｓ１）。親局のコントローラＣＴ１では、制御手段１８が制御要求をリンク先である子局のコントローラＣＴ２に転送する（Ｓ２）。そして、制御要求を受け取った子局のコントローラＣＴ２では、制御手段１８が機器２を制御するための制御指令をＨＡインタフェース部１２に与え、ＨＡインタフェース部１２から第１の端子部１３を介して当該機器２に制御信号が出力されて機器２の動作状態が変更される（Ｓ３）。動作状態が変更された機器２からは、変更後の動作状態が制御結果として子局のコントローラＣＴ２に返信される（Ｓ４）。そして、機器２からの制御結果を受け取った子局のコントローラＣＴ２から親局のコントローラＣＴ１に当該制御結果が返送され（Ｓ５）、親局のコントローラＣＴ１において、機器情報提供手段１９が、受け取った制御結果に基づいてトップページＴＰの当該機器２の動作状態を書き換えて通信端末５に返信する（Ｓ６）。その結果、通信端末５の画面に表示されるトップページＴＰによって機器２の動作状態が要求通りに変更されたことが確認できる。なお、機器２の動作状態あるいは監視要求の手順（Ｓ７〜Ｓ１２）も上述の制御の手順と共通であるから説明は省略する。
【００３１】
ところで、複数台のコントローラＣＴｎを親局と子局に振り分ける方法としては、上述のように起動順で振り分ける方法の他に、各コントローラＣＴｎに割り当てられている固有の識別子（例えば、ＭＡＣアドレスやＵＵＩＤ＜Universally Unique IDentifier＞など）に基づく優先順位を各コントローラＣＴｎのメモリ部１６に登録しておき、後から起動したコントローラＣＴｎが先に起動したコントローラＣＴｎと優先順位を比較して優先順位が上位のコントローラＣＴｎが親局になるという方法を採用することもできる。また、何らかの障害あるいは故障によって親局のコントローラＣＴｎがシステムと通信不能となった場合、親局のコントローラＣＴｎからの生存確認が行われないことで各子局のコントローラＣＴｎが親局のコントローラＣＴ１の離脱を検知し、起動時と同様に子局のコントローラＣＴｎの親局／子局振り分け手段２０がＵＰｎＰの検索（Ｍ−ＳＥＡＲＣＨ）を実行し、未だ通信可能なコントローラＣＴｎをそれまでの優先順位に基づいてあらためて親局と子局に振り分ける作業を行う。なお、上述の実施形態の記載においては、図１に示したように、３つのコントローラＣＴｎが構成管理サーバ３に対していずれも対等に接続するスタートポロジーであらわしたが、本発明はこれに限らず、複数のコントローラを、Ｈｕｂの如くカスケード接続（多段接続）してもかまわない。ただし、この場合、下流にコントローラが接続される上流のコントローラには、下流のコントローラとの接続用に、２つめのＬＡＮインターフェース部が必要となる。
【００３２】
ここで、エミット（ＥＭＩＴ（Embedded Micro Internetworking Technology）)と称する機器組み込み型ネットワーク技術（機器に簡単にミドルウェアを組み込んでネットワークに接続できる機能を備えるネットワーク技術、以降、ＥＭＩＴ技術と称する。）を用いることで、携帯電話、ＰＣ（Personal Computer）、ＰＤＡ（Personal  Digital Assistant）、ＰＨＳ（Personal Handy phone System）等の外部端末（図示せず）から様々な設備機器（照明装置、空調装置、動力装置、センサ、電気錠、ウェブカメラ等、以降、ＥＭＩＴ端末と称する。）＜図示せず＞にアクセスして、ＥＭＩＴ端末を遠隔監視・制御することができる。
【００３３】
尚、ＥＭＩＴ端末は、マイコン搭載の組み込み機器であり、機器組み込み型のネット接続用ミドルウェアでありＥＭＩＴ技術を実現するＥＭＩＴソフトウェアが搭載されている。例えば、本実施形態におけるコントローラＣＴｎにＥＭＩＴソフトウェアを搭載し、ＥＭＩＴ端末として用いることができる。
【図面の簡単な説明】
【００３４】
【図１】本発明の実施形態を示すシステム構成図である。
【図２】同上におけるコントローラのブロック図である。
【図３】（ａ）〜（ｅ）は同上におけるウェブページを説明する図である。
【図４】同上の動作説明図である。
【符号の説明】
【００３５】
ＣＴ１，ＣＴ２，ＣＴ３  コントローラ
２  機器
３  構成管理サーバ
４  インターネット接続装置
５  通信端末
６  センタ装置
【図１】
0004715499.tif 000002
【図２】
0004715499.tif 000003
【図３】
0004715499.tif 000004
【図４】
0004715499.tif 000005